(57)【要約】      （修正有）【課題】一回発泡成形の高通気性パッド構造を提供する。【解決手段】一回発泡成形の高通気性パッド構造あり、パッド１は、発泡により形成され、一体成形された構造である。パッド１は、発泡成形後に、発泡体１１と、冷却されたクラストの表皮層１２とを有し、また、発泡体１１は複数の気孔を有し、複数の気孔１１１は互いに連結されている。表皮層１２は複数の通気孔１２１を有し、発泡体１１の複数の気孔１１１と表皮層１２の複数の通気孔１２１とが連通しているので、パッド１は完全に通気性効果を備えている。【選択図】図１０
0003219104.tif 000002
【実用新案登録請求の範囲】
【請求項１】
一種の一回発泡成形の高通気性パッド構造であり、パッドを含み、前記パッドは発泡材を発泡させて形成され、一体成形された構造であり、前記パッドは、発泡成形後に、発泡体と、冷却されたクラストの表皮層とを有し、前記発泡体は複数の気孔を有し、前記複数の気孔は互いに連結され、
前記表皮層は複数の通気孔を有し、前記発泡体の複数の気孔と前記表皮層の複数の通気孔とが連通しているので、前記パッドは完全に通気性を備えていることを特徴とする、一回発泡成形の高通気性パッド構造。
【請求項２】
前記発泡体はオープンホールＰＵ素材であることを特徴とする、請求項１に記載の一回発泡成形の高通気性パッド構造。
【請求項３】
前記発泡体は、第１原料組成物と第２原料組成物とを含むことを特徴とする、請求項１または請求項２に記載の一回発泡成形の高通気性パッド構造。
【請求項４】
前記第１原料組成物は、ポリエーテルポリオール、鎖延長剤、触媒、界面活性剤および発泡剤であることを特徴とする、請求項３に記載の一回発泡成形の高通気性パッド構造。
【請求項５】
前記第２原料組成物は、ジフェニルメタンとジイソシアネートとのプレポリマーであることを特徴とする、請求項４に記載の一回発泡成形の高通気性パッド構造。
【請求項６】
前記発泡体に含まれる原料比率、すなわち、第１原料組成物と第２原料組成物との比率は、１０：７であることを特徴とする、請求項３または請求項５に記載の一回発泡成形の高通気性パッド構造。
【請求項７】
前記パッドの密度は０．１５乃至０．３５であることを特徴とする、請求項６に記載の一回発泡成形の高通気性パッド構造。
【請求項８】
前記パッドの圧縮回復率は９０％乃至９５％であることを特徴とする、請求項７に記載の一回発泡成形の高通気性パッド構造。
【考案の詳細な説明】
【技術分野】
【０００１】
本考案は一種のパット構造であり、特に一回発泡成形の高通気性パッド構造である。
【背景技術】
【０００２】
発泡パッドの材質はＰＵＥＶＡ等に分かれており、ＰＵ発泡体をさらに独立気泡型ＰＵ発泡体と連続気泡型ＰＵ発泡体に分けることができる。独立気泡型ＰＵ発泡体をパッドとすると、パッドには複数の気孔が発生するが、複数の気孔は連通していない。このため、パッドは通気性を有しておらず、パッドにより、ユーザーに蒸し暑く感じさせる。
独立気泡型ＰＵ発泡体の利点は、過度の廃棄物の発生なしにパットを発泡させ、金型の形状に従って形成することができるが、欠点は形成後にパッドの通気効果がないことである。
【０００３】
図１乃至図４を参照してください。もう１つは連続気泡型ＰＵ発泡体である。
発泡成形では、最初に大型のパッド（Ａ）に発泡させた後、パッド（Ａ）全体から所望の形状及び範囲を切断して完成品（Ａ１）を完成させる必要がある。しかし、連続気泡型ＰＵ発泡体をパッド（Ａ）に成形すると、パッド（Ａ）の発泡体（Ａ１１）は、互いに連通する複数の気孔を生成するが、表皮層（Ａ１２）は、気孔を生成しない。従って、完成品（Ａ１）は通気性を有しておらず、通気性を有する必要がある場合には、先ず表皮層（Ａ１２）を除去して通気性を持たせる必要がある。発泡体（Ａ１１）は、通気性を有するように露出されているが、粗い表面を形成し、耐摩耗性がない。通気性パッドは、通気性が良好で、全体的に柔らかく快適であるメリットがあり、金型の形状範囲では一度形成できず、完成品を完成させるために二次加工や切断が必要であるという欠点がある。成形後に余分な廃棄物が発生し、通気性のために表皮層を引き剥がす必要がある。
【０００４】
上記の問題は、考案者が感じる欠点であり、長年にわたり上記の問題に注意を払っているため、継続的な研究と改善の後に、本考案が最終的に従来の技術に取って代わることができる。
【考案の概要】
【考案が解決しようとする課題】
【０００５】
本考案の目的は、従来技術の欠点を改良するために、一回発泡成形の高通気性パッド構造を提供することである。
【課題を解決するための手段】
【０００６】
上記目的を達成するために、本考案は、パッドを含む、一回発泡成形の高通気性パッド構造を提供し、パッドは、発泡により形成され、一体成形された構造である。パッドは、発泡成形後に、発泡体と、冷却されたクラストの表皮層とを有し、また、発泡体は複数の気孔を有し、複数の気孔は互いに連結されている。表皮層は複数の通気孔を有し、発泡体の複数の気孔と表皮層の複数の通気孔とが連通しているので、パッドは完全に通気性効果を備えている
【０００７】
さらに、本考案のパッドは、従来技術の欠点を解決し、従来技術の利点をも有する。本考案のパッドは、金型の形状範囲に沿って一度に発泡成形することができ、二次的な裁断加工を行うことなく、高通気性のある完成品を得ることができる。発泡体は複数の気孔を有し、表皮層は複数の通気孔を有し、複数の気孔と複数の通気孔は互いに連通している。本考案を使用すると、ユーザーは過去と異なる通気性のあるパッドを体験できる。以下、具体的な実施形態を例示し、本考案の技術的特徴をより良く理解できるように詳細な説明を行う。
【考案の効果】
【０００８】
本考案のパッドは、金型の形状範囲に沿って一度に発泡成形することができ、二次的な裁断加工を行うことなく、高通気性のある完成品を得ることができる。
【図面の簡単な説明】
【０００９】
【図１】従来技術の参考図（１）である。
【図２】従来技術の参考図（２）である。
【図３】従来技術の断面図（１）である。
【図４】従来技術の断面図（２）である。
【図５】本考案実施形態の製造プロセスの参考模式図（１）である。
【図６】本考案実施形態の製造プロセスの参考模式図（２）である。
【図７】本考案実施形態の製造プロセスの参考模式図（３）である。
【図８】本考案実施形態の製造プロセスの参考模式図（４）である。
【図９】本考案の実施形態の立体参考図である。
【図１０】本考案の実施形態の断面模式図である。
【図１１】本考案の実施形態の使用参考図である。
【考案を実施するための形態】
【００１０】
図１０を参照してください。本考案は、パッド１を含む、一回発泡成形の高通気性パッド構造を提供し、パッド１は、発泡体４１により発泡形成され、一体成形された構造である。パッド１は、発泡成形後に、発泡体１１と、冷却されたクラストの表皮層１２とを有し、また、発泡体１１は複数の気孔１１１を有し、複数の気孔１１１は互いに連結されている。表皮層１２は複数の通気孔１２１を有し、発泡体１１の複数の気孔１１１と表皮層１２の複数の通気孔１２１とが連通しているので、パッド１は完全に通気性効果を備えている。
【００１１】
本考案の発泡体４１は、連続気泡型ＰＵ発泡体であり、発泡体（４１）は、第１原料組成物と第２原料組成物とを含む。第１原料組成物は、ポリエーテルポリオール、鎖延長剤、触媒、界面活性剤および発泡剤を含み、第２原料組成物は、ジフェニルメタンとジイソシアネートとのプレポリマーである。発泡体に含まれる原料比率、すなわち、第１の原料組成物と第２の原料組成物との比率は、約１０：７である。発泡材４１からなるパッド1の密度は、０．１５乃至０．３５であり、従来技術で達成可能な密度よりも範囲が広い。パッド１は圧縮回復率が９０％乃至９５％であり、従来技術で達成可能な回復率よりも高い。したがって、パッド１は、通気性が高いだけでなく、使用目的に応じて、より高い密度範囲と高い圧縮回復率を有する。図１１を参照してください。これらの特徴および利点により、パッド１は、インソール、保護パッド、通気性パッドなどとして使用することができ、他の器具、例えばスポーツ用品の保護裏地など、の換気や保護にも使用することができる。本考案がインソールとして使用されるとき、ユーザーの足（６）は、先行技術によって作られたパッドに取って代わり、以前と完全に異なる通気性のあるパッドを体験できる。
【００１２】
図５から図９を参照してください。一回発泡成形の高通気性パッド構造の製造工程は次の通りである。（Ａ）金型２を開き、スプレーガン３を用いてキャビティ２１上に離型剤３１を均一にスプレーする。（Ｂ）入力装置４を用いて発泡材４１をキャビティ２１内に注入する。（C）金型２をしっかり閉じる。（Ｄ）金型２を閉じた後、発泡装置５に入れる。（Ｅ）発泡体４１は、発泡装置５において発泡される。（Ｆ）発泡体４１が発泡工程において、パッド１の発泡体１１には、互いに連通する複数の気孔１１１が形成される。パッド１の表皮層１２は離型剤３１と反応し、表皮層１２に複数の通気孔１２１を形成する。複数の気孔１１１と複数の通気孔１２１とが連通している。（Ｇ）金型２を開く。（Ｈ）パッド１を取り外す。発泡装置５は加熱装置であり、発泡体４１は加熱装置によって円滑に発泡成形される。
【００１３】
全体として、パッド１は、従来の連続気泡ＰＵ材料および独立気泡ＰＵ材料の欠点を解決し、両方の利点を有する。本考案のパッド１は、金型の形状範囲に沿って一度に発泡成形することができ、二次的な裁断加工を行うことなく、完成品を得ることができる。完成したパッド１は高い通気性を有し、発泡体１１は複数の気孔１１１を有し、表皮層１２は複数の通気孔１２１を有し、複数の気孔１１１と複数の通気孔１２１とは連通している。本考案を使用すると、ユーザーは過去に完全に異なる通気性のあるパッドを体験できる。
【００１４】
本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００１５】
Ａ      パッド
Ａ１    完成品
Ａ１１  発泡体
Ａ１２  表皮層
１      パッド
１１    発泡体
１１１  気孔
１２    表皮層
１２１  通気孔
２      金型
２１    キャビティ
３      スプレーガン
３１    離型剤
４      入力装置
４１    発泡体
５      発泡装置
６      足
【図１】
0003219104.tif 000003
【図２】
0003219104.tif 000004
【図３】
0003219104.tif 000005
【図４】
0003219104.tif 000006
【図５】
0003219104.tif 000007
【図６】
0003219104.tif 000008
【図７】
0003219104.tif 000009
【図８】
0003219104.tif 000010
【図９】
0003219104.tif 000011
【図１０】
0003219104.tif 000012
【図１１】
0003219104.tif 000013